(57)【要約】  【課題】  グリップベルトを外側に取付けた外蓋の内側にカセットの装着部を設けたビデオカメラにおいて、とくに外蓋のロック機構による高さ方向の寸法の増大を抑え、しかもロック解除動作の操作性を改善するようにしたビデオカメラを提供する。  【解決手段】  外蓋３３を外側部に取付けたフレーム６１の内側に支点ピン６７を中心として揺動可能にロックレバー６６を取付け、該ロックレバー６６の前後の両端に設けられているＵ字状の切込み７１、７２をそれぞれ外蓋３３の前後の位置において取付け枠６０に植設されたロックピン７３、７４と係合させてロック動作を行なう。【選択図】  図８
2005190594.tif 000002
【特許請求の範囲】
【請求項１】
カセット装着部の外側に開閉自在に外蓋を設けるようにした記録再生装置の外蓋の開閉機構において、
前記外蓋を閉じた状態でロックするロック機構を前記外蓋の前後にそれぞれ設けたことを特徴とする記録再生装置の外筐の開閉機構。
【請求項２】
前記ロック機構が前記外蓋の内側に取付けられた揺動自在なロックレバーを具備し、該ロックレバーの両側のロック部が固定側であって前記外蓋の前後の被ロック部と係合することによりロック動作が行なわれることを特徴とする請求項１に記載の記録再生装置の外蓋の開閉機構。
【請求項３】
前記ロックレバーのロック部がＵ字状の切込みから構成されるとともに、前記被ロック部がロックピンから構成され、前後方向の一方のロック部が上方から前記ロックピンに係合し、他方のロック部が下方から前記ロックピンに係合することを特徴とする請求項２に記載の記録再生装置の外蓋の開閉機構。
【請求項４】
前記外蓋の外側にグリップベルトが取付けられ、該グリップベルト内に手を挿入して筐体を保持するようにしたことを特徴とする請求項２に記載の記録再生装置の外蓋の開閉機構。
【請求項５】
前記ロックレバーにロック解除釦が取付けられ、該ロック解除釦が前記グリップベルトに手を挿入したときに親指で操作できるように前記外蓋の後側に配されることを特徴とする請求項４に記載の記録再生装置の外蓋の開閉機構。
【請求項６】
記録再生装置が記録媒体として磁気テープを巻装したテープカセットを用いるビデオカメラであることを特徴とする請求項１に記載の記録再生装置の外蓋の開閉機構。
【請求項７】
前記ビデオカメラの光学系を被写体側に向けたときに筐体の右側面に前記外蓋が開閉自在に取付けられることを特徴とする請求項６に記載の記録再生装置の外蓋の開閉機構。
【発明の詳細な説明】
【技術分野】
【０００１】
本発明は記録再生装置の外蓋の開閉機構に係り、とくにカセット装着部の外側に開閉自在に外蓋を取付けるようにした記録再生装置の外蓋の開閉機構に関する。
【背景技術】
【０００２】
例えば特開平７−１３４８５３号公報には、筐体と、この筐体に開閉自在に取付けられた外蓋と、該外蓋と筐体で画成される空間に設けられ、ビデオカセットを駆動するメカデッキと、ビデオカセットの装脱を可能としたカセットホルダと、メカデッキに対してカセットホルダを摺動させる摺動機構とを備えたビデオカメラにおいて、メカデッキを筐体側で揺動可能に支持する支持機構が設けられ、さらにメカデッキを外蓋の開閉に連動して揺動させ、外蓋が開いた状態でメカデッキを外蓋側に傾斜させる連結機構が、外蓋とメカデッキとの間に設けられているビデオカメラのメカデッキ支持構造が開示されている。
【０００３】
このようなメカデッキ支持構造によると、外蓋を強固に取付け可能とし、筐体の堅牢性を高め、高級感が増大でき、防滴性を高め、筐体構造の簡素化および小径化が図られることになる。そして外蓋の外側面上にグリップベルトを取付け、このグリップベルトによって外蓋を介してビデオカメラの筐体を保持する構造によると、上記外蓋を介してビデオカメラの重量を支えなければならず、このために外蓋が閉じた状態で確実にロックされることを要する。
【０００４】
そこで例えば特開平１１−２４２８４２号公報には、本体キャビネットにカセット蓋が回動支点部によって開閉動作可能にされ、ロック機構によって閉止位置にロックされるようにした記録再生装置のカセット蓋開閉機構において、カセット蓋の回動支点部とは反対側の開放端側のフレームにガイド溝を有する呼込みガイド片を設け、本体キャビネット内側にカセット蓋の閉止動作においてガイド溝が呼込まれるガイドピンを設け、またカセット蓋の両側部に位置規制アームを設け、カセット蓋の開閉動作において位置規制アームが本体キャビネットの内壁面にガイドされるようにした記録再生装置のカセット蓋開閉機構が開示されている。
【０００５】
このような構成によれば、簡単な機能を付加することによってカセット蓋を正常な閉止位置に誘導し、恒久的に感触のよいロック動作を可能にした記録再生装置のカセット蓋開閉機構が得られる。
【０００６】
ところが上記特開平１１−２４２８４２号公報に開示されているカセット蓋開閉機構のロック機構によると、外蓋がその底部を中心として側方に回動可能に取付けられるとともに、このカセット蓋の上部と対応するように本体キャビネット側にロック機構が設けられる。従ってロック機構をメカデッキの上部位置に設ける必要があり、これによって製品の高さ方向の寸法が増大する欠点を生ずる。なお外蓋をその上端をヒンジ部として回動可能に構成し、しかも外蓋の底部側にロック機構を設けた場合においても、同様にビデオカメラの高さ方向の寸法が増大する欠点がある。
【０００７】
また上記ロック機構にチャージ機構を設けるようにすると、ロックするタイミングにバラツキを生ずるとともに、ハーフロック等の不具合が出易い欠点を生ずる。
【特許文献１】特開平７−１３４８５３号公報
【特許文献２】特開平１１−２４２８４２号公報
【発明の開示】
【発明が解決しようとする課題】
【０００８】
本願発明の課題は、カセット装着部の外側に開閉自在に外蓋を設けるようにした記録再生装置の外蓋の開閉機構において、とくに高さ方向の寸法が増大することがなく、これによって高さ方向の大きさを小さくできるようにした記録再生装置を提供することである。
【０００９】
本願発明の別の課題は、記録再生装置の外蓋の上部あるいは下部にロック機構を配することなく、前後方向にロック機構を配するようにした記録再生装置を提供することである。
【００１０】
本願発明のさらに別の課題は、解除動作の操作性に優れたロック機構を有する記録再生装置の外蓋の開閉機構を提供することである。
【００１１】
本願発明のさらに別の課題は、ロックするタイミングにバラツキを生ずることがなく、ハーフロック等の不具合が発生することがないようにした記録再生装置の外蓋の開閉機構を提供することである。
【００１２】
本願発明の上記の課題および別の課題は、以下に述べる発明の技術思想および実施の形態によって明らかにされよう。
【課題を解決するための手段】
【００１３】
本願の主要な発明は、カセット装着部の外側に開閉自在に外蓋を設けるようにした記録再生装置の外蓋の開閉機構において、
前記外蓋を閉じた状態でロックするロック機構を前記外蓋の前後にそれぞれ設けたことを特徴とする記録再生装置の外筐の開閉機構に関するものである。
【００１４】
ここで前記ロック機構が前記外蓋の内側に取付けられた揺動自在なロックレバーを具備し、該ロックレバーの両側のロック部が固定側であって前記外蓋の前後の被ロック部と係合することによりロック動作が行なわれてよい。また前記ロックレバーのロック部がＵ字状の切込みから構成されるとともに、前記被ロック部がロックピンから構成され、前後方向の一方のロック部が上方から前記ロックピンに係合し、他方のロック部が下方から前記ロックピンに係合してよい。また前記外蓋の外側にグリップベルトが取付けられ、該グリップベルト内に手を挿入して筐体を保持するようにしてよい。また前記ロックレバーにロック解除釦が取付けられ、該ロック解除釦が前記グリップベルトに手を挿入したときに親指で操作できるように前記外蓋の後側に配されてよい。また記録再生装置が記録媒体として磁気テープを巻装したテープカセットを用いるビデオカメラであってよい。また前記ビデオカメラの光学系を被写体側に向けたときに筐体の右側面に前記外蓋が開閉自在に取付けられてよい。
【００１５】
本願発明の好ましい態様は、ビデオカメラにおいて、テープカセットを出入れする際に開閉する外蓋を閉じたときに作動するロック機構を、上記外蓋の前後に配置するとともに、そのロック機構のロック解除釦を、上記外蓋の後側でこのビデオカメラを保持したときに親指で操作できる位置に配するようにしたものである。そしてこのような構成によって、とくに製品の高さ方向の寸法を数ミリ〜数十ミリ程度小さくして同方向の小型化を図るとともに、部品点数を削減するようにしている。
【００１６】
上記のような態様によれば、ビデオカメラのとくに外蓋の上部あるいは底部にロック機構を配する必要がなく、このためにビデオカメラの高さ方向の寸法が小さくなる。またロック解除釦を、この外蓋の外側で保持する手の親指で操作できる位置に配することによって、外蓋を開く際にこのビデオカメラを持ち換える必要がなく、操作性が向上する。またロックする際にロックする相手の軸を乗越えてロックする単純な構造とすることによって、ロック時のガタにバラツキが出難くなる。さらにロックするタイミングが、ロックする部品がロックする相手の軸を乗越えるタイミングになるために、ロックするタイミングにバラツキがなく、ハーフロックや片側だけのロツクといったトラブルが防止できる。また従来のロック機構よりも部品点数を複数個少なくできるようになる。
【発明の効果】
【００１７】
本願の主要な発明は、カセット装着部の外側に開閉自在に外蓋を設けるようにした記録再生装置の外蓋の開閉機構において、外蓋を閉じた状態でロックするロック機構を外蓋の前後にそれぞれ設けたものである。
【００１８】
従ってこのような記録再生装置の外蓋の開閉機構によれば、外蓋を開いた状態から閉じた状態に移行すると、この外蓋の前後に設けられたロック機構によって外蓋がロックされることになる。従って外蓋の上下の部分にそれぞれロック機構が存在せず、このために高さ方向の寸法を小さくして同方向の機器の小型化を図ることが可能になる。
【発明を実施するための最良の形態】
【００１９】
以下本願発明を図示の実施の形態によって説明する。本実施の形態に係る記録再生装置は映像信号をディジタルで記録するデジタル式のビデオカメラに関するものであって、図１および図２に示すように、筐体１０の前方側であって上部側には光学レンズを備える光学系１１が設けられている。この光学系１１によって取込まれた映像が内部に配されているＣＣＤによって電気信号に変換されるようになっている。また取込まれた映像を確認するために上記光学系とは反対側の位置にビューファインダ１２が設けられる。また取込まれた映像を確認したり記録された映像を再生するための別の表示手段として、液晶表示パネル１３が設けられている。この液晶表示パネル１３は筐体１０の側方に開閉自在に取付けられている。
【００２０】
上記液晶表示パネル１３の先端側であってその側部にはバックライト釦１４と録画スタート／ストップ釦１５とが配される。また上記液晶表示パネル１３の装着位置の上部には画面表示釦１６が取付けられ、この画面表示釦１６を操作することによって、液晶表示パネル１３によって取込まれた映像あるいは再生された映像を表示できるようにしている。また筐体１０の背面側であって上記ファインダ１２の下側の部分には着脱自在に電源用のバッテリーパック１７が取付けられるようになっている。
【００２１】
上記筐体１０の液晶表示パネル１３が装着される面とは反対側の側面には図２に示すように、ＵＳＢ端子２１、ＤＶ端子２２、ＡＶ端子２３、ＬＡＮＣ端子２４が配列されるとともに、これら４つの端子２１〜２４を覆うように端子カバー２５が開閉自在に取付けられる。また上記端子２１〜２４の下側にはリセット釦２６が取付けられる。
【００２２】
さらに上記筐体１０の端子カバー２５で覆われる４つの端子２１〜２４が設けられる側面であってその前方側にはレンズカバー開閉スイッチ２９が設けられる。また筐体１０の前面側にはマイクロホン３０が取付けられるとともに、録画ランプ３１が配設され、さらにマイクロホンを接続するためのＭＩＣ端子３２が設けられている。
【００２３】
上記端子カバー２５によって覆われる端子２１〜２４の下側の部分であって筐体１０の外側部の一部が外蓋３３から構成されており、この外蓋３３の内側がカセット装着部になっている。なお外蓋３３の前端側の側面には半導体メモリ挿入スロット３４が設けられている。また上記外蓋３３の外側部にはグリップベルト３５が取付けられており、このグリップベルト３５内に手を挿入してこのビデオカメラの筐体１０を保持できるようにしている（図４参照）。
【００２４】
また上記筐体１０の外側部であってビューファインダ１２の根元側の部分には図３に示すように、フォトスイッチ３８および視度調整つまみ３９が設けられている。また上記視度調整つまみ３９の下側にはバッテリーパック取外し釦４０が設けられている。この釦４０を操作することによって、バッテリーパック１７のロックを解除して取外すことができるようになっている。また上記取外し釦４０の下側には充電ランプ４１が設けられており、バッテリーパック１７の充電の表示を行なうようにしている。また上記充電ランプ４１の下側には録画スタート／ストップ釦４２が設けられており、この録画スタート／ストップ釦４２によっても録画の制御が行なわれるようになっている。
【００２５】
筐体１０の上部には図３に示すようにアクセサリーシュー４５が取付けられるとともに、画枠を調整するズームレバー４６がその側部に取付けられている。またズームレバー４６の斜め下方には編集ランプ４７が配設され、さらにその下側には電源スイッチ４８が設けられている。また電源スイッチ４８の側部にはスピーカ４９が設けられ、映像とともに録音した音声信号を再生できるようにしている。
【００２６】
次にこのビデオカメラのとくにカセット装着部の構造を図５〜図７によって説明する。図５に示すようにグリップベルト３５を取付けた外蓋３３を開放するとともに、テープカセット５８をカセットホルダ５７内に挿入し、その後にカセットホルダ５７を内側に引込んで下降させ、この状態で図６に示すように外蓋３３を閉じることによって、テープカセット５８がこのビデオカメラの内部であってメカデッキの内側に装着されるようになっている。
【００２７】
図７Ａに示すように、上記カセット装着部はメカデッキ５２を備え、このメカデッキ５２上であって奥の部分に磁気ヘッドを有する回転ヘッドドラム５３が取付けられている。そして上記メカシャーシ５２に対して図７において左右の方向に摺動自在にスライドシャーシ５４が設けられるとともに、このスライドシャーシ５４に一対の昇降リンク５５、５６を介してカセットホルダ５７が昇降自在に設けられている。そしてカセットホルダ５７によってテープカセット５８を保持できるようにしている。
【００２８】
このようなメカデッキによるテープカセットの装着動作は、図７Ａに示すように外蓋３３を開放し、スライドシャーシ５４を右方へ移動させるとともに、昇降リンク５５、５６によってカセットホルダ５７を上昇させる。そしてこのカセットホルダ５７内にテープカセット５８を矢印で示すように挿入する。
【００２９】
この後に図７Ｂに示すようにカセットホルダ５７を昇降リンク５５、５６の回動動作によってスライドシャーシ５４上に下降させる。そしてこの後にスライドシャーシ５４を図７Ｃに示すように左方に移動させるとともに、テープカセット５８のカセット蓋を開き、このテープカセット内に巻装されている磁気テープを回転ヘッドドラム５４に巻付けるようにしている。そしてこの後に外蓋３３を閉じることによってテープカセット５８が装着される。
【００３０】
テープカセット５８の取出し操作は上記の動作とは逆の動作を行なえばよい。すなわち外蓋３３を開き、この後スライドシャーシ５４を図７Ｃに示す状態から図７Ｂに示す状態に右方へ引出し、この後にカセットホルダ５７を昇降リンク５５、５６によって上方へ移動し、上方に移動したカセットホルダ５７からテープカセット５８を取出すことになる。
【００３１】
次に上記カセット装着部を開閉自在に覆う外蓋３３のロック機構について図８Ａ、Ｂにより説明する。上記外蓋３３を回動自在に取付けるように筐体１０内であってメカデッキ側には取付け枠６０が設けられている。取付け枠６０は両側板と連結部とから構成される。そしてこの取付け枠６０によってフレーム６１が回動自在に支持される。フレーム６１はその両側にアーム６２を備え、このアーム６２が取付け枠６０の左右の側板にそれぞれ植設された支点ピン６３によって回動自在に支持される。しかもアーム６２には長孔６４が形成され、この長孔６４が取付け枠６０の側板に植設された規制ピン６５に係合しており、これによってフレーム６１の回動角度が規制される。
【００３２】
次に上記フレーム６１上には、その下側の部分にロックレバー６６が回動自在に取付けられる。すなわちロックレバー６６はその左右の中間位置において、支点ピン６７によってフレーム６１に揺動自在に取付けられる。しかもロックレバー６６はコイルばね６８によって図８Ａ、Ｂにおいて支点ピン６７を中心として反時計方向に回動付勢されている。また上記ロックレバー６６には側方に突出する突片に解除釦６９が設けられ、この解除釦６９によって上記コイルばね６８に抗してロックレバー６６を支点ピン６７を中心として時計方向に回動できるようになっている。
【００３３】
上記ロックレバー６６にはその左右の屈曲部にそれぞれＵ字状の切込み７１、７２が設けられるとともに、これらの切込み７１、７２は上記取付け枠６０側に植設されたロックピン７３、７４とそれぞれ係合するようになっている。ここで上記Ｕ字状の切込み７１はロックピン７３に上方から係合するようになっている（図８Ａ参照）。これに対して反対側のＵ字状の切込み７２はロックピン７４に対して下方から係合するようになっている（図８Ｂ参照）。
【００３４】
このように本実施の形態のビデオカメラにおいては、図８Ａ、Ｂに示すように取付け枠６０を備え、この取付け枠６０によって互いに対向するように一対のロックピン７３、７４がその両側に加締めて固定されている。そして鋼板から成るフレーム６１を備えるとともに、このフレーム６１の下側の部分に支点ピン６７を中心としてロックレバー６６が取付けられている。フレーム６１は取付け枠６０の支点ピン６３を中心として回動でき、ロックレバー６６は支点ピン６７を中心として回動できるようになっている。そして上記ロックレバー６６の側部の突片の先端部に解除釦６９が設けられるとともに、ロックレバー６６は引張りコイルばね６８によってフレーム６１に連結されている。なおロックレバー６６は通常は８Ａ、８Ｂの状態にあって、カセット蓋３３は上記フレーム６１の外側部に固定されている。
【００３５】
このような構成において、図８Ａ、Ｂに示す位置においては、ロックレバー６６の左右のＵ字状の切込み７１、７２がそれぞれ取付け枠６０の左右のロックピン７３、７４に係合し、このためにフレーム６１は回動することができず、図１０に示すように開くことはできない。そしてこの状態において解除釦６９を下方に移動させると、ロックレバー６６がコイルばね６８に抗して支点ピン６７を中心に回動し、図８Ａ、Ｂに示す状態から図９Ａ、Ｂに示す状態に変化する。すなわちロックレバー６６のＵ字状の切込み７１、７２とロックピン７３、７４との係合が互いに解除され、これによってロック解除動作が行なわれる。
【００３６】
従って図９Ａ、Ｂに示す状態のままで、フレーム６１を取付け枠６０に対して支点ピン６３を中心として背面側に回動させることによって、外蓋３３が開放される（図５、図６参照）。この状態が図１０に示される。そしてこのように外蓋３３を外側部に取付けたフレーム６１を逆方向に、すなわち図１０において支点ピン６３を中心として時計方向に回動させると、図１１に示すようにロックレバー６６のＵ字状の切込み７１、７２を有する突片が取付け枠６０のロックピン７３、７４にそれぞれ当接し、これによってロックレバー６６がコイルばね６８に抗して支点ピン６７を中心として図１１において時計方向に回動し、上記ロックピン７３、７４が相対的にＵ字状切込み７１、７２に入込んで係合し、これによって図８Ａ、Ｂに示すロック状態に戻る。
【００３７】
このような外蓋３３のロック機構によれば、外蓋３３の下側であってヒンジを構成する支点ピン６３に対して反対側の部分にロック機構がないために、とくにビデオカメラの筐体１０の高さ方向の寸法を低くできる。またロック解除釦６９がグリップベルト３５内に挿入した手の親指の近傍に位置することになるために、外蓋３３を開く際に筐体１０を持ち換える必要がなく、操作性が向上する。また外蓋３３を閉じてロックするときに、ロックする相手側のロックピン７３、７４をロックレバー６６のＵ字状切込み７１、７２が乗越えてロックする単純な構造のために、ロック時のガタにバラツキが出難くなる。また外蓋３３のロックのタイミングが、ロックする部品６６のＵ字状の切込み７１、７２がロックピン７３、７４を乗越えるタイミングになるために、ロックのタイミングにバラツキが生じ難く、しかもハーフロックや片側だけロックすることがなくなる。またこのような構造は、とくに揺動自在なロックレバー６６を用いているために、部品点数の削減につながる。
【００３８】
以上本願発明を図示の実施の形態によって説明したが、本願発明は上記実施の形態によって限定されることなく、本願に含まれる発明の技術的思想の範囲内において各種の変更が可能である。例えば上記実施の形態はビデオカメラの外蓋の開閉機構に関するものであるが、本願発明は必ずしもビデオカメラに限定されることなく、外蓋を有する記録再生装置の開閉機構に広く適用可能である。またロックのための具体的な構成については、その目的に応じて任意に設計変更が可能であって、実施の形態に示される具体的な構造に限定されない。
【産業上の利用可能性】
【００３９】
本願発明は、ビデオカメラ等の記録再生装置に広く適用可能である。
【図面の簡単な説明】
【００４０】
【図１】ビデオカメラの液晶表示パネルを開いた状態の外観斜視図である。
【図２】ビデオカメラの外蓋を有する外側面側から見た外観斜視図である。
【図３】図２と同じ側部を後側から見たときの外観斜視図である。
【図４】グリップベルトの間に手を挿入して筐体を保持した状態を示す外観斜視図である。
【図５】テープカセットの挿入動作を示す外観斜視図である。
【図６】外蓋を閉じる動作を示す外観斜視図である。
【図７】メカデッキに対するテープカセットの挿入動作を示す要部縦断面図である。
【図８】外蓋のロック機構を示す要部斜視図である。
【図９】ロック解除動作を示す要部斜視図である。
【図１０】フレームを開く動作を示す外観斜視図である。
【図１１】ロックの直前の動作を示す要部外観斜視図である。
【符号の説明】
【００４１】
１０‥‥筐体、１１‥‥光学系、１２‥‥ビューファインダ、１３‥‥液晶表示パネル、１４‥‥バックライト釦、１５‥‥録画スタート／ストップ釦、１６‥‥画面表示釦、１７‥‥バッテリーパック、２１‥‥ＵＳＢ端子、２２‥‥ＤＶ端子、２３‥‥ＡＶ端子、２４‥‥ＬＡＮＣ端子、２５‥‥端子カバー、２６‥‥リセット釦、２９‥‥レンズカバー開閉スイッチ、３０‥‥マイクロホン、３１‥‥録画ランプ、３２‥‥ＭＩＣ端子、３３‥‥外蓋、３４‥‥半導体メモリ挿入スロット、３５‥‥グリップベルト、３８‥‥フォト釦、３９‥‥視度調整つまみ、４０‥‥バッテリーパック取外し釦、４１‥‥充電ランプ、４２‥‥録画スタート／ストップ釦、４５‥‥アクセサリーシュー、４６‥‥ズームレバー、４７‥‥編集ランプ、４８‥‥電源スイッチ、４９‥‥スピーカ、５２‥‥メカシャーシ、５３‥‥ヘッドドラム、５４‥‥スライドシャーシ、５５、５６‥‥昇降リンク、５７‥‥カセットホルダ、５８‥‥テープカセット、６０‥‥取付け枠、６１‥‥フレーム、６２‥‥アーム、６３‥‥支点ピン、６４‥‥長孔、６５‥‥規制ピン、６６‥‥ロックレバー、６７‥‥支点ピン、６８‥‥コイルばね、６９‥‥解除釦、７１‥‥Ｕ字状切込み（左）、７２‥‥Ｕ字状切込み（右）、７３‥‥ロックピン（左）、７４‥‥ロックピン（右）
【図１】
2005190594.tif 000003
【図２】
2005190594.tif 000004
【図３】
2005190594.tif 000005
【図４】
2005190594.tif 000006
【図５】
2005190594.tif 000007
【図６】
2005190594.tif 000008
【図７】
2005190594.tif 000009
【図８】
2005190594.tif 000010
【図９】
2005190594.tif 000011
【図１０】
2005190594.tif 000012
【図１１】
2005190594.tif 000013